(57)【要約】      （修正有）【課題】モバイル機器の電力不足時にソーラーパネルを用いてモバイル機器へ電力を供給することで、モバイル機器の即時利用及び充電を可能とする。【解決手段】ソーラーパネルにより発電された電力を３の内部の充電式電池に充電しつつ、４、５の電圧変換及び、６による利用目的のモバイル製品に対応した電圧レベルを選択し、本体１を太陽光に当てることにより、直接モバイル製品への電力供給を行い、利用及び充電を可能としている。また、モバイル製品を接続しない場合においては、充電式電池へのソーラー充電器としての役目を果たし、他の電気製品へ利用可能な充電式電池の充電を可能としている。【選択図】図１
0003131567.tif 000002
【実用新案登録請求の範囲】
【請求項１】
ソーラーパネル、蓄電装置、及び電圧制御装置を搭載し、太陽光に当てたソーラーパネルより発電された電力を、モバイル機器に対し直接電力供給を行うことで、モバイル機器の即時使用及びモバイル機器の充電を行うことを可能としたソーラーパネル式モバイル充電器。
【請求項２】
請求項１に記載のソーラーパネル式モバイル充電器に搭載した蓄電装置に対し、充電を行うと共に、対象となるモバイル機器へ直接電力を供給し、使用することを可能としたことを特徴としたソーラーパネル式モバイル充電器。
【請求項３】
請求項１または２に記載のソーラーパネル式モバイル充電器において、ソーラーパネルへの太陽光の遮断状態が発生すると、蓄電装置から電力供給を行うことで、モバイル機器への充電状態を維持出来る事を特徴としたソーラーパネル式モバイル充電器。
【請求項４】
請求項１〜３のいずれかに記載のソーラーパネル式モバイル充電器において、モバイル機器を接続していない状態にて太陽光に当てると、蓄電装置に充電することを特徴としたソーラーパネル式モバイル充電器。
【請求項５】
請求項１〜４のいずれかに記載のソーラーパネル式モバイル充電器において、ソーラーパネル及び蓄電装置の出力に対し、モバイル機器に応じた電圧に変換可能な電圧制御装置を装備し、各種モバイル製品に対して電圧設定が行えることで、各種モバイル製品に応じて電力を供給することを特徴としたソーラーパネル式モバイル充電器。
【考案の詳細な説明】
【技術分野】
【０００１】  本考案は、ソーラーパネル部分を太陽光に当てることにより、モバイル機器の利用、或いは充電することを可能としたソーラーパネル式モバイル充電器に関するものである。
【背景技術】
【０００２】  ソーラーパネル式充電器の殆どは、充電器内部に蓄電装置を内蔵し、その内部蓄電装置に蓄えられた電力をモバイル機器への充電に利用していた。
【考案の開示】
【考案が解決しようとする課題】
【０００３】  一般的なソーラーパネル式充電器は、ソーラーパネルから発電される微弱な電力を長時間かけて内部に搭載した内部蓄電装置に一端電力を蓄えておき、後から対象とするモバイル製品へ充電を行う方式をとっている。しかし、充電器内部の蓄電装置がある程度充電されない限り内部電力を利用することが出来ない上、利用できるまでには長時間の太陽光へ当てる必要を要する。また、一般的なソーラーパネル式の充電器は、充電を行う対象とする製品を限定しており、汎用性に欠けている。
【課題を解決するための手段】
【０００４】  本考案は、ソーラーパネルの接続先に蓄電装置及び電圧制御装置を搭載し、蓄電装置に充電しつつ、電圧制御装置により、各種モバイル製品に対応した電圧に設定することで、充電装置への充電を行うと共に、各種モバイル製品を即時充電及び利用可能な状態に出来なかった問題点を解決しようとするものである。
【考案の効果】
【０００５】  上述の様に、本考案のソーラーパネル式モバイル充電器を利用することにより、太陽光に直接当てることで、即モバイル機器への電力供給、及び利用可能となる上、同時に内蔵蓄電装置を充電している事で、太陽光が当たらない状況になった場合においても、蓄電装置により電力供給がなされ、モバイル機器への電力供給を持続することが可能である。また、電圧制御装置によりモバイル機器に対応した電圧に調整可能としている為、汎用性が高い。更に、モバイル機器が未接続時においては、蓄電装置の充電器となる為、蓄電された電力を他の電気製品へ転用が可能である。
【考案を実施するための最良の形態】
【０００６】  ソーラーパネルの形状がコンパクト且つ高出力のものを利用し、ソーラーパネルに適した充電式電池、可変式定電圧回路、又はレギュレーターを搭載し、電圧を選択可能にしておく。電力出力端子としてＵＳＢ（Ｕｎｉｖｅｒｓａｌ  Ｓｅｒｉａｌ  Ｂｕｓ）メス型アダプターをセットする。携帯電話のバッテリーが不足してきた際、本考案のソーラーパネル式モバイル充電器の出力電圧を５Ｖに設定し、本考案の電力出力先端にセットしたＵＳＢメス型アダプターに対し、ＵＳＢタイプの携帯充電ケーブルを接続し、ソーラーパネルを太陽光に向ける。ソーラーパネルで発電された電力は、５Ｖに変換された後、携帯電話へ電力送出が行われ、携帯電話の充電が開始される。太陽光及び充電式電池に蓄えられた電力により直接充電を行っているため、充電をしつつも通常のように通話も可能となる。また、ソーラーパネルに対して太陽光が遮られた場合においても、充電式電池がソーラーパネルの代わりに電力の送出を行う為、携帯電話機は常に電力が供給され続け、充電状態を持続することが出来る。また、緊急用の携帯充電器として、また太陽エネルギーによる充電器である為、コンセントの無い場所又はコンビニエンスストア等で乾電池を購入できない状況下においても携帯電話の充電が可能である。
【実施例】
【０００７】  以下、添付図面に従って太陽光における携帯電話の充電を行う場合の一実施例を説明する。１は本考案のソーラーパネル式モバイル充電器の本体であり、２はソーラーパネルセルである。３は充電式電池を格納したバッテリーボックス、４は可変式定電圧回路、或いはレギュレーターが格納されたボックスである。５は可変式定電圧回路の電圧を調整するボリュームのつまみであり、６は可変式定電圧回路及びレギュレーターの出力を選択するスライド式スイッチである。携帯電話でよく使われている５Ｖ前後の電圧になるようにスイッチにて電圧を選択する。７の出力コネクターに記述されている出力電極８の極性を確認し、ピン型アダプター９、又はＵＳＢメス型アダプター１０を出力電極８に挿入する。【０００８】  ＵＳＢメス型アダプター１０のＵＳＢインターフェースの先には、ＵＳＢタイプの携帯充電器ケーブルを挿入する。ＵＳＢタイプの携帯充電器ケーブルは、一般的に市販されているＵＳＢタイプの携帯充電器ケーブルを使用することが出来る。【０００９】  ソーラーパネル式モバイル充電器１を太陽光に当てることにより、３の充電式電池を格納したバッテリーボックス内の充電式電池に充電されつつ、４、５、６により設定された電力が出力電極８、ＵＳＢメス型アダプター１０を経由して、市販のＵＳＢタイプの携帯充電器ケーブルを通して各社の携帯電話の充電が開始される。
【図面の簡単な説明】
【００１１】
【図１】本考案のソーラーパネル式モバイル充電器の一実施例を示す正面図である。
【図２】各種のインタフェース変換アダプタの一実施例の正面図である。
【符号の説明】
【００１２】１    ソーラーパネル式モバイル充電器本体
２    ソーラーパネルセル
３    充電式電池を格納したバッテリーボックス
４    可変式定電圧回路及びレギュレーターが格納されたボックス
５    可変式定電圧回路の電圧を調整するボリュームのつまみ
６    可変式定電圧回路及びレギュレーターの出力を選択するスライド式スイッチ
７    出力コネクター
８    出力電極
９    ピン型アダプター
１０  ＵＳＢメス型アダプター
【図１】
0003131567.tif 000003
【図２】
0003131567.tif 000004